(57)【要約】      （修正有）【課題】飛沫感染を防止する。【解決手段】第三者の飛沫が飲食料品にかかることを防止するためのフードカバー１００であって、前記フードカバー１００は、前記飲食料品の上方に配置される上面部２００と、利用者の左側に配置され、上面部２００の下方に配置される第１側面部３００と、利用者の右側に配置され、上面部２００の下方に配置される第２側面部４００と、第１側面部３００と第２側面部４００との間、かつ、上面部２００の下方に配置され、利用者の奥側に配置される第３側面部５００と、を含み、上面部２００が利用者側に開口部２５０を有するフードカバー１００を提供する。【選択図】図１
2020157090.tif 000002
【特許請求の範囲】
【請求項１】
第三者の飛沫が飲食料品にかかることを防止するためのフードカバーであって、
前記フードカバーは、
前記飲食料品の上方に配置される上面部と、
利用者の左側に配置され、前記上面部の下方に配置される第１側面部と、
利用者の右側に配置され、前記上面部の下方に配置される第２側面部と、
前記第１側面部と前記第２側面部との間、かつ、前記上面部の下方に配置され、利用者の奥側に配置される第３側面部と、を含み、
前記上面部が利用者側に開口部を有するフードカバー。
【請求項２】
前記第３側面部の形状が台形である請求項１記載のフードカバー。
【請求項３】
前記第３側面部が、広告を表示することができる広告掲載部を有する請求項１又は２記載のフードカバー。
【請求項４】
前記広告掲載部が、前記第３側面部の左上部にある第１取付け部と、
前記第３側面部の左下部にある第２取付け部と、
前記第３側面部の右上部にある第３取付け部と、
前記第３側面部の右下部にある第４取付け部と、を含み、
前記第１取付け部、前記第２取付け部、前記第３取付け部及び前記第４取付け部によって広告部材を保持する請求項３記載のフードカバー。
【請求項５】
前記第１取付け部が前記広告部材の左上角部分を挿入することができる第１挿入部を有し、
前記第２取付け部が前記広告部材の左下角部分を挿入することができる第２挿入部を有し、
前記第３取付け部が前記広告部材の右上角部分を挿入することができる第３挿入部を有し、
前記第４取付け部が前記広告部材の右下角部分を挿入することができる第４挿入部を有する請求項４記載のフードカバー。
【請求項６】
前記上面部が水平である請求項１乃至５のいずれか１項に記載のフードカバー。
【発明の詳細な説明】
【技術分野】
【０００１】
本発明は、フードカバーに関する。
【背景技術】
【０００２】
近年、新型コロナウイルス感染症（ＣＯＶＩＤ−１９）の感染が大きな社会問題となっている。
【０００３】
そして、現時点では、新型コロナウイルス感染症（ＣＯＶＩＤ−１９）の治療法が確立されていないため、予防のため集団での飲食や外食自体も控えられる傾向にある。
【０００４】
また、対面での飲食の場合、向かい側で飲食をしている人（第三者）の唾等の飛沫が、料理に飛ぶ可能性がある。
【０００５】
特許文献１では、断熱材を用いて底とカバーになる部分とが作られ、カバー部の内側に保冷剤やカイロを入れるためのポケットが設けられたフードカバーが開示されている。
【先行技術文献】
【特許文献】
【０００６】
【特許文献１】特開２０１２−１５７４０７号公報
【発明の概要】
【発明が解決しようとする課題】
【０００７】
しかしながら、特許文献１に係る発明では、フードカバーを使用しながら飲食をすることができず、例えば向かい側等に座っている人の唾等の飛沫を防止することができない。
【０００８】
本発明の目的は、飛沫感染を防止することである。
【０００９】
本発明の他の目的は、飛沫感染を防止しつつ飲食することができるフードカバーを提供することである。
【課題を解決するための手段】
【００１０】
本発明の第１の局面に係るフードカバーは、第三者の飛沫が飲食料品にかかることを防止するためのフードカバーであって、
前記フードカバーは、
前記飲食料品の上方に配置される上面部と、
利用者の左側に配置され、前記上面部の下方に配置される第１側面部と、
利用者の右側に配置され、前記上面部の下方に配置される第２側面部と、
前記第１側面部と前記第２側面部との間、かつ、前記上面部の下方に配置され、利用者の奥側に配置される第３側面部と、を含み、
前記上面部が利用者側に開口部を有するフードカバーである。
【００１１】
フードカバーが上面部を有することにより、第三者の唾等の飛沫が飲食料品にかかりにくいという利点がある。
【００１２】
また、上面部の利用者側（ｙ軸正方向側）に開口部が設けられていることにより、利用者は飲食をするときに頭を上面部にぶつけ難い。
【００１３】
また、上面部の利用者側（ｙ軸正方向側）に開口部が設けられていることにより、利用者はフードカバー内の飲食料品が見やすくなるという利点がある。
【００１４】
本発明の第２の局面に係るフードカバーは、第１の局面に係るフードカバーであって、前記第３側面部の形状が台形であるフードカバーである。
【００１５】
第３側面部の形状が台形であることにより、フードカバーの側面視（ｘｚ側面視）が台形になり、フードカバーを洗浄した後に水を切りやすい（乾きやすい）という利点がある。
【００１６】
また、フードカバーの側面視が台形であることから、フードカバーを使用しないとき、フードカバー同士を重ねて保存しておくことができ、保管場所を省スペース化できるという利点がある。
【００１７】
本発明の第３の局面に係るフードカバーは、第１の局面又は第２の局面に係るフードカバーであって、
前記第３側面部が、広告を表示することができる広告掲載部を有するフードカバーである。
【００１８】
飲食店等のフードカバーの活用者は、フードカバーに広告を掲載することにより、広告料を得ることができる。
【００１９】
また、向かいに座っている人は、向かいのフードカバーの広告を見ることができ、広告商品の売り上げが広告によって向上し易い。
【００２０】
広告掲載部は、第３側面部の内側（フードケースの内側）に設けられるのが好ましい。
【００２１】
これにより、フードカバーを屋外で使用しても広告掲載部に保持された広告部材が風で飛ばされたり、なびいたりすることを防止できる。
【００２２】
本発明の第４の局面に係るフードカバーは、第３の局面に係るフードカバーであって、
前記広告掲載部が、前記第３側面部の左上部にある第１取付け部と、
前記第３側面部の左下部にある第２取付け部と、
前記第３側面部の右上部にある第３取付け部と、
前記第３側面部の右下部にある第４取付け部と、を含み、
前記第１取付け部、前記第２取付け部、前記第３取付け部及び前記第４取付け部によって広告部材を保持するフードカバーである。
【００２３】
４カ所で広告部材を保持するため、簡単に紙材等の広告部材を交換することができるという利点がある。
【００２４】
４カ所で広告部材を保持するため、フードカバーを洗浄したときに乾かし易いという利点がある。
【００２５】
本発明の第５の局面に係るフードカバーは、第４の局面に係るフードカバーであって、
前記第１取付け部が前記広告部材の左上角部分を挿入することができる第１挿入部を有し、
前記第２取付け部が前記広告部材の左下角部分を挿入することができる第２挿入部を有し、
前記第３取付け部が前記広告部材の右上角部分を挿入することができる第３挿入部を有し、
前記第４取付け部が前記広告部材の右下角部分を挿入することができる第４挿入部を有するフードカバーである。
【００２６】
挿入部により広告部材を着脱することができることにより、簡単に広告部材を着脱することができる。
【００２７】
本発明の第６の局面に係るフードカバーは、第１の局面乃至第５の局面に係るフードカバーであって、前記上面部が水平であるフードカバーである。
【００２８】
上面部が水平であることにより、取分けするための皿等を上面部に乗せることができ、利用者はそこから自分の食べる分の料理を取ることができる。
【００２９】
また、飲食店のスタッフは、運んできた料理をフードカバーの上面部に乗せることができる。
【００３０】
なお、「第三者」とは本発明のフードカバーを利用している飲食する者以外の者のことである。
【図面の簡単な説明】
【００３１】
【図１】本発明に係る一実施形態のフードカバーの斜視図。
【図２】同実施形態のフードカバーの平面図。
【図３】同実施形態のフードカバーの正面図。
【図４】同実施形態のフードカバーの部分拡大図。
【発明を実施するための形態】
【００３２】
以下、本発明の実施形態に関して図面を参照しながら説明する。
【００３３】
図１乃至図３に示すように、本発明の実施形態に係るフードカバー１００は、
飲食料品の上方に配置される上面部２００と、
利用者の左側（ｘ軸負方向側）に配置され、上面部２００の下方に配置される第１側面部３００と、
利用者の右側（ｘ軸正方向側）に配置され、上面部２００の下方に配置される第２側面部４００と、
第１側面部３００と第２側面部４００との間に配置され、上面部２００の下方に配置され、利用者の奥側（ｙ軸負方向側）に配置される第３側面部５００と、を含む。
【００３４】
本実施形態では、フードカバー１００は、透明性を有するアクリル板（アクリル樹脂）で構成されている。
【００３５】
これにより、利用者はフードカバー１００内の飲食料品をフードカバー越しでも見ることができ、飲食店のスタッフも利用者が飲食が終わったかどうかの確認も容易に行うことができる。
【００３６】
フードカバー１００の材質は、透明性を有するプラスチックが好ましい。つまり、フードカバー１００の材質は、アクリル樹脂（ＰＭＭＡ）、ＰＥＴ、ＰＣ、ＰＶＣ等であることが好ましい。
【００３７】
また、フードカバー１００の材質は、ＰＥ、ＰＰ、ＰＶＡ、ＰＶＤＣ等の結晶性樹脂であってもよい。
【００３８】
フードカバー１００の材質は、熱可塑性樹脂が好ましいが、熱硬化性樹脂であってもよく、また、汎用プラスチックが好ましいが、エンジニアプラスチックでもよく、非晶性樹脂が好ましいが、結晶性樹脂であってもよい。
【００３９】
つまり、フードカバー１００の材質は、上記に挙げたものだけでなく、ＰＳ、ＡＢＳ樹脂、ＡＳ樹脂、ｍ−ＰＰＥ、ＰＡ、ＰＢＴ、ＰＯＭ、ＵＨＭＷＰＥ等であってもよい。
【００４０】
なお、フードカバー１００の材質は、手入れのし易さからプラスチックが好ましいが、ガラスであってもよい。ガラスのほうが傷が付きにくく透明性が高く高級感があるという利点がある。
【００４１】
このような材質であれば、フードカバー１００は、風で飛ばされ難く、屋外でも使用することができる。
【００４２】
また、フードカバー１００の材質は、ダンボール等の透明性を有しないものであってもよい。フードカバー１００の材質は限定されない。
【００４３】
フードカバー１００の内側に作られた空間には、料理やドリンク等の飲食料品を配置する。
【００４４】
なお、飲食料品は、フードカバー１００の内側の空間からはみ出てもよい。フードカバー１００は、飲食料品７００の少なくとも一部を覆うことが可能なものが好ましいが、飲食料品の前方（ｙ軸負方向側）に配置されればよい。
【００４５】
図２に示す通り、上面部２００は、本実施形態では平面視略長方形の形状であり、利用者の奥側（ｙ軸負方向側）の上面上辺２１０と、
利用者側（ｙ軸正方向側）の上面下辺２２０と、
利用者の左側（ｘ軸負方向側）の上面左辺２３０と、
利用者の右側（ｘ軸正方向側）の上面右辺２４０と、を含む。
【００４６】
本実施形態では、上面部２００は、横（ｘ軸方向）が４００ｍｍ、縦（ｙ軸方向）が３００ｍｍである。
【００４７】
上面部２００には、開口部２５０が設けられており、利用者が飲食しやすいようになっている。
【００４８】
開口部２５０は、具体的には、利用者側の上面下辺２２０に設けられている。
【００４９】
フードカバー１００に上面部２００が設けられることにより、第三者の唾等の飛沫が飲食料品にかかりにくいという効果を有する。
【００５０】
また、上面部２００が設けられていることにより、飲食料品を上面部２００に置くことができ、例えば、取分け用の皿を上面部２００に置くことができる。
【００５１】
利用者は、上面部２００に置かれた取分け用の皿に盛られた料理を自分の取り皿に取ることができる。
【００５２】
上面上辺２１０には、略台形形状の第３側面部５００が接続されている。
【００５３】
上面下辺２２０は、利用者が飲食する方向（ｙ軸正方向側）であるため、本実施形態では側面部は設けられていない。上面下辺２２０には、開口部２５０が設けられている。
【００５４】
上面左辺２３０には、略長方形の第１側面部３００が接続されている。
【００５５】
上辺右辺２４０には、略長方形の第２側面部４００が接続されている。
【００５６】
開口部２５０は、上面下辺２２０に設けられており、本実施形態では、円弧状の形状である。
【００５７】
本実施形態では、上面下辺２２０の長さ（ｘ軸方向の距離）が４００ｍｍであり、開口部２５０の上面下辺２２０上の距離ｄ（ｘ軸方向の距離）は、３００ｍｍである。
【００５８】
また、本実施形態では、開口部２５０の奥行の距離Ｌ（ｙ軸方向の距離）は、１００ｍｍである。
【００５９】
開口部２５０の奥行の距離Ｌは、上面部２００の縦の長さ（ｙ軸方向の長さ）の１／３が好ましい。
【００６０】
なお、本実施形態では、開口部２５０は円弧状であるが、矩形状等であってもよい。開口部２５０の形状は限定されない。
【００６１】
開口部２５０が上面部２００に設けられていることにより、利用者は、フードカバー１００内に配置されている飲食料品が見やすくなり、また、利用者は、飲食するときに顔を少し下げても上面部２００にぶつかり難くなる。
【００６２】
第１側面部３００は、利用者の左手側（ｘ軸負方向側）に配置されており、第３側面部５００の形状に合わせて斜めに配置されている。
【００６３】
第２側面部４００は、利用者の右手側（ｘ軸正方向側）に配置されており、第３側面部５００の形状に合わせて斜めに配置されている。
【００６４】
つまり、第１側面部３００及び第２側面部４００は、ｘｚ平面視において、鉛直方向（ｚ軸方向）に対して角度が設けられており、フードカバー１００は下方（ｚ軸負方向）に行くにつれ広くなる構成となっている。
【００６５】
本実施形態では、第１側面部３００の下端から第２側面部４００の下端までの距離は、６００ｍｍあるため、利用者はフォークやナイフを使用することもできる。
【００６６】
図３に示すように、第３側面部５００は、利用者から見て奥側（ｙ軸負方向側）の側面であり、ｘｚ平面視台形である。本実施形態では、第３側面部５００は、上辺が４００ｍｍ、下辺が６００ｍｍであり、高さが２５０ｍｍである。
【００６７】
第３側面部５００の形状が台形であることにより、フードカバー１００のｘｚ平面視が台形になり、フードカバー１００を積み重ねておくことができる。
【００６８】
したがって、フードカバー１００を使用しない場合の保管場所を省スペース化することができる。
【００６９】
また、フードカバー１００がｘｚ平面視台形であることにより、フードカバーを洗浄した際に水切りがし易いという利点がある。
【００７０】
第３側面部５００は、広告掲載部６００を備える。本実施形態では、広告掲載部６００は第３側面部５００の内側（フードカバー１００の内側）に設けられており、広告掲載部６００にはＡ４用紙サイズ（縦２１０ｍｍ、横２９７ｍｍ）の広告部材を着脱可能に取り付けることができる。
【００７１】
具体的には、広告掲載部６００は、第３側面部５００の左上部にある第１取付け部６１０と、
第３側面部５００の左下部にある第２取付け部６２０と、
第３側面部５００の右上部にある第３取付け部６３０と、
第３側面部５００の右下部にある第４取付け部６４０と、を含む。
【００７２】
図３に示すように、第１取付け部６１０と第２取付け部６２０とはｘ軸で対称であり、
第１取付け部６１０と第３取付け部６３０とはｚ軸で対称であり、
第１取付け部６１０と第４取付け部６４０とは点対称となっている。
【００７３】
本実施形態では、第１取付け部６１０と、第２取付け部６２０、第３取付け部６３０及び第４取付け部６４０とは、構造が同じである。
【００７４】
第１取付け部６１０と、第２取付け部６２０、第３取付け部６３０及び第４取付け部６４０によって、広告部材が保持される。
【００７５】
図４に示すように、第１取付け部６１０は、右下方（ｘ軸正方向側及びｚ軸負方向側）に、広告部材である紙材等の広告用紙の左上角部分を挿入することができる第１挿入部６１１を有する。
【００７６】
第２取付け部６２０は、右上方（ｘ軸正方向側及びｚ軸正方向側）に、紙材等の広告用紙の左下角部分を挿入することができる第２挿入部６２１を有する。
【００７７】
第３取付け部６３０は、左下方（ｘ軸負方向側及びｚ軸負方向側）に、紙材等の広告用紙の右上角部分を挿入することができる第３挿入部６３１を有する。
【００７８】
第４取付け部６４０は、左上方（ｘ軸負方向側及びｚ軸正方向側）に、紙材等の広告用紙の右下角部分を挿入することができる第４挿入部６４１を有する。
【００７９】
第２取付け部６２０及び第４取付け部６４０は、第３側面部５００の下方端部に設けられている。
【００８０】
本実施形態では、紙材等の広告部材を保持するのに、第１取付け部６１０、第２取付け部６２０、第３取付け部６３０及び第４取付け部６４０の４カ所のみで保持するため、フードカバー１００を洗浄したあと乾かし易いという利点がある。
【００８１】
本実施形態では、紙材等の広告部材を保持するのに、第１取付け部６１０、第２取付け部６２０、第３取付け部６３０及び第４取付け部６４０の４カ所で保持しているが、第１取付け部６１０と第２取付け部６２０との間、第１取付け部６１０と第３取付け部６３０との間、第２取付け部６２０と第４取付け部６４０との間、及び、第３取付け部６３０と第４取付け部６４０との間の少なくともいずれかに、さらに取付け部が設けられてもよい。
【００８２】
図３及び図４に示すように、広告掲載部６００は、表面に向けて広告を掲載するところである。本実施形態では、フードカバー１００の内側にＡ４サイズの用紙（広告部材）を取り付けることができる。
【００８３】
広告掲載部６００がフードカバー１００の内側（ｙ軸正方向側）に配置されることにより、フードカバー１００を屋外で使用しても、広告掲載部６００に保持されている広告部材が風で飛ばされたり、なびいたりしないという利点がある。
【００８４】
なお、広告は、内側に向けて（利用者側に向けて）行うものであってもよい。また、広告は、外側及び内側の両方に向けて行うものであってもよい。この場合、広告内容をＡ４用紙に対して両面印刷するものが好ましい。
【００８５】
また、本実施形態では、広告掲載部６００は、フードカバー１００の内側（ｙ軸正方向側）に設けられているが、フードケースの外側（ｙ軸負方向側）に設けられてもよい。
【００８６】
また、広告掲載部６００が設けられていることにより、本発明に係るフードカバー１００を活用する飲食店は、広告料の収入があるため、フードカバー１００を生産する費用を抑えることができる。
【００８７】
また、飲食をしている人達（利用者）にとっては、フードカバー１００によって、目の前で飲食している人の飛沫が飲食料品に入るのを防止できるだけでなく、広告掲載部６００に掲載されている広告が目に入ってくるため、広告商品を注文し易い。そのため、飲食店にとっては、その広告商品の注文が増えやすいという効果を有する。
【００８８】
本発明は、その趣旨を逸脱しない範囲で種々の改良、修正、又は変形を加えた態様でも実施できる。
【符号の説明】
【００８９】
１００…フードカバー
２００…上面部
２５０…開口部
３００…第１側面部
４００…第２側面部
５００…第３側面部
６００…広告掲載部
６１０…第１取付け部
６２０…第２取付け部
６３０…第３取付け部
６４０…第４取付け部
【図１】
2020157090.tif 000003
【図２】
2020157090.tif 000004
【図３】
2020157090.tif 000005
【図４】
2020157090.tif 000006